(57)【要約】【課題】複数の放射線検出器ユニットを配列する場合に、容易に配列することができる放射線検出器ユニットを提供する。【解決手段】複数の放射線検出器ユニット１が連結されることにより構成される放射線検出装置用の放射線検出器ユニット１は、放射線を検出可能な放射線検出部２と、放射線検出部２に電気的に接続するユニット内配線と、ユニット内配線に接続され、複数の放射線検出器ユニット１が連結される方向に向けて設けられるコネクタ部とを有し、放射線検出部２を支持する支持部とを備える。【選択図】図１Ａ
2012047550.tif 000002
【特許請求の範囲】
【請求項１】
複数の放射線検出器ユニットが連結されることにより構成される放射線検出装置用の放射線検出器ユニットであって、
放射線を検出可能な放射線検出部と、
前記放射線検出部に電気的に接続するユニット内配線と、前記ユニット内配線に接続され、前記複数の放射線検出器ユニットが連結される方向に向けて設けられるコネクタ部とを有し、前記放射線検出部を支持する支持部と
を備える放射線検出器ユニット。
【請求項２】
前記コネクタ部が、前記支持部の側面に設けられる請求項１に記載の放射線検出器ユニット。
【請求項３】
前記放射線検出部が、放射線を検出可能な半導体素子を含む複数の放射線検出器カードを有し、
前記支持部が、前記複数の放射線検出器カードの端部を支持する支持体と、前記支持体を搭載し、前記ユニット内配線が設けられるマザーボードとを有し、
前記ユニット内配線が、前記複数の放射線検出器カードのそれぞれに電気的に接続する請求項２に記載の放射線検出器ユニット。
【請求項４】
前記マザーボードが、前記放射線検出部の反対側に前記ユニット内配線に接続して設けられ、前記放射線検出部からの信号を処理する信号処理部を更に含み、
前記信号処理部が、前記複数の放射線検出器ユニット間において、バス型又は信号中継型で前記信号を中継する請求項３に記載の放射線検出器ユニット。
【請求項５】
前記支持部が、隣接する他の放射線検出器ユニットに対する位置を決める位置決め部
を更に有する請求項４に記載の放射線検出器ユニット。
【請求項６】
前記コネクタ部が、隣接する他の放射線検出器ユニット又は外部の電気回路に電気的に接続する請求項５に記載の放射線検出器ユニット。
【請求項７】
前記支持部の前記放射線検出部が設けられる側の反対側の表面に設けられる放射線吸収層を更に備える請求項１に記載の放射線検出器ユニット。
【請求項８】
前記支持部が、前記支持部の一方の側面から反対側の側面まで貫通する冷却用の流路を有する請求項１に記載の放射線検出器ユニット。
【発明の詳細な説明】
【技術分野】
【０００１】
本発明は、放射線検出器ユニットに関する。特に、本発明は、γ線、Ｘ線等の放射線を検出する放射線検出器ユニットに関する。
【背景技術】
【０００２】
従来、複数個の半導体放射線検出素子を検出器搭載基板にマトリックス状に設置して構成される検出器ユニットと、貫通孔を有する固定用基板とを備え、貫通孔を通して挿入された結合用ねじを検出器搭載基板に形成されたねじ孔に噛み合わせることによって複数の検出器ユニットを固定用基板に取り付け、検出器搭載基板に設けた一対の位置決めピンが固定用基板に設けられた位置決め孔に挿入されることにより検出器ユニットの位置決めがなされる放射線検出装置が知られている（例えば、特許文献１参照。）。
【先行技術文献】
【特許文献】
【０００３】
【特許文献１】特開２００５−２０１６４２号公報
【発明の概要】
【発明が解決しようとする課題】
【０００４】
しかし、特許文献１に係る放射線検出器は、例えば、固定用基板にｎ×ｎのマトリックス状に検出器ユニットを設置する場合（ただし、ｎは正の整数）、検出器ユニットを一つずつ固定用基板に設置していくと、最後の一つの検出器ユニットを固定用基板に設置する時に、当該検出器ユニットの半導体放射線検出素子を他の検出器ユニットに接触させないように設置することが困難である。また、当該検出器ユニットと他の検出器ユニットとの接続部分に望まない負荷をかけずに設置することが困難である。
【０００５】
したがって、本発明の目的は、複数の放射線検出器ユニットを配列する場合に、容易に配列することができる放射線検出器ユニットを提供することにある。
【課題を解決するための手段】
【０００６】
本発明は、上記目的を達成するため、複数の放射線検出器ユニットが連結されることにより構成される放射線検出装置用の放射線検出器ユニットであって、放射線を検出可能な放射線検出部と、放射線検出部に電気的に接続するユニット内配線と、ユニット内配線に接続され、複数の放射線検出器ユニットが連結される方向に向けて設けられるコネクタ部とを有し、放射線検出部を支持する支持部とを備える放射線検出器ユニットが提供される。
【０００７】
また、上記放射線検出器ユニットにおいて、コネクタ部が、支持部の側面に設けられてもよい。
【０００８】
また、上記放射線検出器ユニットにおいて、放射線検出部が、放射線を検出可能な半導体素子を含む複数の放射線検出器カードを有し、支持部が、複数の放射線検出器カードの端部を支持する支持体と、支持体を搭載し、ユニット内配線が設けられるマザーボードとを有し、ユニット内配線が、複数の放射線検出器カードのそれぞれに電気的に接続することもできる。
【０００９】
また、上記放射線検出器ユニットにおいて、マザーボードが、放射線検出部の反対側にユニット内配線に接続して設けられ、放射線検出部からの信号を処理する信号処理部を更に含み、信号処理部が、複数の放射線検出器ユニット間において、バス型又は信号中継型で信号を中継することもできる。
【００１０】
また、上記放射線検出器ユニットにおいて、支持部が、隣接する他の放射線検出器ユニットに対する位置を決める位置決め部を更に有することもできる。
【００１１】
また、上記放射線検出器ユニットにおいて、コネクタ部が、隣接する他の放射線検出器ユニット又は外部の電気回路に電気的に接続することもできる。
【００１２】
また、上記放射線検出器ユニットが、支持部の放射線検出部が設けられる側の反対側の表面に設けられる放射線吸収層を更に備えることもできる。
【００１３】
また、上記放射線検出器ユニットにおいて、支持部が、支持部の一方の側面から反対側の側面まで貫通する冷却用の流路を有することもできる。
【発明の効果】
【００１４】
本発明に係る放射線検出器ユニットによれば、複数の放射線検出器ユニットを配列する場合に、容易に配列することができる放射線検出器ユニットを提供することができる。
【図面の簡単な説明】
【００１５】
【図１Ａ】本発明の第１の実施の形態に係る放射線検出器ユニットの斜視図である。
【図１Ｂ】（ａ）は本発明の第１の実施の形態に係る放射線検出器ユニットのメスコネクタ側の正面図であり、（ｂ）は放射線検出器ユニットの底面図である。
【図１Ｃ】放射線検出器カードの斜視図である。
【図１Ｄ】本発明の第１の実施の形態に係る複数の放射線検出器ユニットが互いに連結した状態の概要図である。
【図２Ａ】本発明の第１の実施の形態に係る放射線検出器ユニットが設置されるヒートシンクの図である。
【図２Ｂ】本発明の第１の実施の形態に係る放射線検出器ユニットがヒートシンク上に搭載された状態の断面図である。
【図３】本発明の第１の実施の形態に係る複数の放射線検出器ユニットが連結された状態における放射線検出装置の断面図である。
【図４】（ａ）はバス型の信号ラインのモジュール内配線を有する放射線検出器ユニットのブロック図であり、（ｂ）は信号中継方式のモジュール内配線を有する放射線検出器ユニットのブロック図である。
【図５】本発明の第２の実施の形態に係る放射線検出装置の側面の一部の図である。
【図６】本発明の第３の実施の形態に係る放射線検出器モジュールの斜視図である。
【図７】本発明の第４の実施の形態に係る放射線検出器モジュールの側面図である。
【図８】（ａ）は本発明の第５の実施の形態に係る放射線検出器モジュールの側面図であり、（ｂ）は放熱ブロックを備える第５の実施の形態に係る放射線検出器モジュールの側面図である。
【図９】（ａ）は本発明の第６の実施の形態に係る放射線検出器モジュールの部分的な斜視図であり、（ｂ）は本発明の第６の実施の形態に係る放射線検出器モジュール同士の接続を示す図である。
【図１０】（ａ）は本発明の第７の実施の形態に係る放射線検出器モジュールの部分的な斜視図であり、（ｂ）は本発明の第７の実施の形態に係る放射線検出器モジュール同士の接続を示す図である。
【図１１】本発明の第８の実施の形態に係る放射線検出器モジュールの部分的な斜視図である。
【図１２】（ａ）は本発明の第９の実施の形態に係る放射線検出器モジュールの部分的な斜視図であり、（ｂ）は本発明の第９の実施の形態に係る放射線検出器モジュール同士の接続部分を示す図である。
【図１３】（ａ）は本発明の第１０の実施の形態に係る放射線検出器モジュールの部分的な斜視図であり、（ｂ）は本発明の第１０の実施の形態に係る複数の放射線検出器モジュールが連結した状態を示す図である。
【図１４】本発明の第１１の実施の形態に係る放射線検出器モジュールの側面図である。
【図１５】本発明の第１２の実施の形態に係る放射線検出器モジュールの側面図である。
【発明を実施するための形態】
【００１６】
［第１の実施の形態］
（放射線検出器ユニット１の構成の概要）
図１Ａは、本発明の第１の実施の形態に係る放射線検出器ユニットの斜視図の一例を示す。また、図１Ｂの（ａ）は、本発明の第１の実施の形態に係る放射線検出器ユニットのメスコネクタ側の正面図の一例を示し、（ｂ）は、本発明の第１の実施の形態に係る放射線検出器ユニットの底面図の一例を示す。
【００１７】
第１の実施の形態に係る放射線検出器ユニット１は、γ線、Ｘ線等の放射線を検出する複数の放射線検出器ユニット１が互いに連結されて構成される放射線検出装置に用いられる放射線検出器ユニット１である。例えば、放射線検出器ユニット１の平面視における大きさは、４ｃｍ×４ｃｍ程度である。そして、一例として、放射線検出器ユニット１を５行×５列に配列することにより、２０ｃｍ角の放射線検出装置の撮像ヘッドを構成することができる。なお、放射線検出器ユニット１の個数は、測定対象に応じて増減できる。
【００１８】
具体的に、第１の実施の形態に係る放射線検出器ユニット１は、放射線を検出可能な放射線検出部２と、放射線検出部２を支持する支持部としての放射線検出器立て３とを備える。より具体的に、放射線検出部２は、放射線を検出する複数の半導体素子２００と、複数の半導体素子２００のそれぞれを搭載する基板２１０とを含み、カード型の形状を呈する複数の放射線検出器カード２０を有する。また、放射線検出器立て３は、複数の放射線検出器カード２０の長手方向における両端部のそれぞれを支持する支持体３６０を有する。なお、放射線検出器立て３は金属材料を用いて作製できる。金属材料を用いて放射線検出器立て３を作製する場合、金属材料の削り出しにより作製できる。
【００１９】
また、放射線検出器立て３は、放射線検出部２に電気的に接続するユニット内配線と、ユニット内配線に電気的に接続すると共に、複数の放射線検出器ユニット１が連結される方向に向けて設けられるコネクタ部とを有する。ここで、第１の実施の形態においてコネクタ部は、放射線検出器立て３の一の側面に設けられるオスコネクタ３０と、一の側面の反対側の他の側面に設けられるメスコネクタ３２とを含む。すなわち、第１の実施の形態においてオスコネクタ３０及びメスコネクタ３２は、一軸方向（つまり、図１ＡにおけるＸ方向）に向いて設けられる。一の放射線検出器ユニット１のオスコネクタ３０と、他の放射線検出器ユニット１のメスコネクタ３２とが嵌め合うことにより、複数の放射線検出器ユニット１が連結される。例えば、複数の放射線検出器ユニット１は、放射線が入射する面の水平方向（つまり、図１ＡにおけるＸ方向）に沿って直線的に連結される。
【００２０】
更に、放射線検出器ユニット１の放射線検出器立て３は、隣接する他の放射線検出器ユニット１に対する放射線検出器ユニット１の位置を決める位置決め部を有する。具体的に、放射線検出器ユニット１は、オスコネクタ３０を挟む位置に設けられる位置決め部としての複数の位置決めピン３４と、メスコネクタ３２を挟む位置に設けられ、他の放射線検出器ユニット１の複数の位置決めピン３４のそれぞれが挿入される位置決め部としての複数の孔３６とを有する。つまり、一の放射線検出器ユニット１の位置決めピン３４が、他の放射線検出器ユニット１の孔３６に挿入されることにより、一の放射線検出器ユニット１の他の放射線検出器ユニット１に対する位置が定まる。ここで、位置決めピン３４は、放射線検出器立て３の側面から外部に突き出る形状を有する。例えば、位置決めピン３４は、略円筒の形状を有する。そして、孔３６は、位置決めピン３４の外形に対応した形状であって、位置決めピン３４を抜き差しできる形状を有する。更に、放射線検出器立て３は、後述するヒートシンク４にネジ止めされる場合に用いられるネジ穴３８を底面に有する。
【００２１】
（放射線検出器カード２０の構成）
図１Ｃは、放射線検出器カードの斜視図の一例を示す。
【００２２】
放射線１００は、紙面の上方から下方に沿って入射してくる。すなわち、放射線１００は、放射線検出器カード２０の半導体素子２００からカードホルダ２２０及びカードホルダ２２５に向かう方向に沿って伝搬して放射線検出器カード２０に入射する。そして、放射線検出器カード２０は、半導体素子２００の側面（つまり、図１Ｃの上方に面している面）に放射線１００が入射する。したがって、半導体素子２００の側面が放射線１００の入射面になっている。このように、半導体素子２００の側面を放射線１００の入射面とする放射線検出器カードを、エッジオン型の放射線検出器カードと称する。
【００２３】
具体的に、放射線検出器カード２０は、放射線１００を検出可能な一対の半導体素子２００と、複数の半導体素子２００を搭載する薄い基板２１０と、一対の半導体素子２００の端のそれぞれから離れた位置にて基板２１０を挟み込むことにより基板２１０を支持する一対のカードホルダ２２０及びカードホルダ２２５とを備える。そして、一例として、一対の半導体素子２００が４組、基板２１０を挟み込む位置において基板２１０に固定される。すなわち、各組の一対の半導体素子２００は、基板２１０の一方の面と他方の面とのそれぞれに基板２１０を対称面として対称の位置に固定される。
【００２４】
基板２１０は一対のカードホルダ２２０とカードホルダ２２５とに挟み込まれて支持される。具体的には、カードホルダ２２０とカードホルダ２２５とはそれぞれ同一形状を有して形成され、カードホルダ２２０が有する溝付穴２３２にカードホルダ２２５が有する突起部２３０が嵌め合うと共に、カードホルダ２２５が有する溝付穴（図示しない）にカードホルダ２２０が有する突起部（図示しない）が嵌め合うことにより基板２１０が支持される。
【００２５】
また、基板２１０は、半導体素子２００を搭載する側の辺の対辺側に、放射線検出器立て３が有するコネクタに挿入されるカードエッジ部を有する（なお、図１Ｃではカードエッジ部は、カードホルダ２２０及びカードホルダ２２５に覆われており図示されていない。）。カードエッジ部は、コネクタに電気的に接続する複数のエッジパターンを含む。そして、板ばね等の弾性部材２３４は、複数の放射線検出器カード２０を支持する放射線検出器立て３に放射線検出器カード２０が挿入された場合に、放射線検出器カード２０を放射線検出器立て３に押し付けて固定する。この場合に、カードエッジ部がコネクタに挿入され、カードエッジ部の表面に形成されているエッジパターンとコネクタとが電気的に接続されることにより放射線検出器カード２０は、外部の電気回路に電気的に接続される。
【００２６】
また、放射線検出器カード２０は、一対の半導体素子２００の基板２１０の反対側に、各半導体素子２００の電極と基板２１０に設けられている複数の基板端子２３６とのそれぞれを電気的に接続する配線パターンを有するフレキシブル基板２４０を更に備える。フレキシブル基板２４０は、一対の半導体素子２００の一方の半導体素子２００側、及び他方の半導体素子２００側の双方に設けられる（例えば、４組の一対の半導体素子２００の一方の半導体素子２００側のそれぞれと、他方の半導体素子２００側のそれぞれとの双方に、フレキシブル基板２４０がそれぞれ設けられる。）。そして、フレキシブル基板２４０の複数の配線パターンの一方の端がそれぞれ、半導体素子２００の基板２１０の反対側の表面に設けられる電極に電気的に接続し、フレキシブル基板２４０の複数の配線パターンの他方の端がそれぞれ、基板端子２３６に電気的に接続する。
【００２７】
（半導体素子２００）
半導体素子２００は、略直方体状に形成される（つまり、正面視にて略四角状に形成され）。また、半導体素子２００は、基板２１０側の表面と、当該表面の反対側の表面とのそれぞれに電極を有する。そして、半導体素子２００を構成する材料としては、例えば、ＣｄＴｅを用いることができる。また、γ線等の放射線を検出できる限り、半導体素子２００はＣｄＴｅ素子に限られない。例えば、半導体素子２００として、ＣｄＺｎＴｅ（ＣＺＴ）素子、ＨｇＩ２素子等の化合物半導体素子を用いることもできる。
【００２８】
（基板２１０）
基板２１０は、金属導体等の導電性材料からなる導電性薄膜（例えば、銅箔）が表面に形成された薄肉基板（例えば、ＦＲ４等のガラスエポキシ基板）を、ソルダーレジスト等の絶縁材料を用いて形成される絶縁層で挟んで形成される。また、基板２１０は、半導体素子２００の電極に電気的に接続する素子接続部を有する。半導体素子２００の電極は銀ペースト等の導電性接着材を介して素子接続部に電気的に接続する。
【００２９】
また、基板２１０に形成された配線により、素子接続部は基板２１０上のチップ部品、及び／又はカードエッジ部のエッジパターンに電気的に接続される。これにより、基板２１０において、半導体素子２００の基板２１０側の面の電極は、基板２１０の配線によりチップ部品、及び／又はカードエッジ部のパターンに電気的に接続される。また、半導体素子２００の基板２１０側の反対側の面の電極は、フレキシブル基板２４０の配線パターンと、基板端子２３６と、基板２１０の配線とを経由してカードエッジ部のパターンに電気的に接続される。ここで、例えば、半導体素子２００の基板２１０側の電極をアノード電極、半導体素子２００の基板２１０側の反対側の面の電極をカソード電極とする。この場合、アノード電極からの信号とカソード電極からの信号とはそれぞれ、カードエッジ部のパターンに導かれ、パターンを介し、外部の電気回路へ出力される。
【００３０】
（カードホルダ２２０及びカードホルダ２２５の詳細）
カードホルダ２２０とカードホルダ２２５とは略同一形状を有するので、以下、カードホルダ２２０について主として説明する。
【００３１】
カードホルダ２２０は、カードホルダ２２０の長手方向における両端部に設けられる板ばね等の弾性部材２３４と、カードホルダ２２０の対となるカードホルダ２２５の突起部２３０が嵌る溝付穴２３２と、基板２１０に設けられる基板端子２３６が貫通する複数の端子用穴２３８とを有する。そして、カードホルダ２２０が基板２１０の一方の面側から基板２１０に接し、カードホルダ２２５が基板２１０の他方の面側から基板２１０に接することによりカードホルダ２２０とカードホルダ２２５とで基板２１０を挟み込む。これにより、カードホルダ２２０及びカードホルダ２２５とにより基板２１０が支持される。
【００３２】
図１Ｄは、本発明の第１の実施の形態に係る複数の放射線検出器ユニットが互いに連結した状態の概要を示す。
【００３３】
一の放射線検出器ユニット１のオスコネクタ３０と、他の放射線検出器ユニット１のメスコネクタ３２とが嵌め合うことにより、一の放射線検出器ユニット１と他の放射線検出器ユニット１とが連結される。すなわち、一の放射線検出器ユニット１は、隣接する他の放射線検出器ユニット１に電気的に接続する。図１Ｄの例では、３つの放射線検出器ユニット１が連結されている。第１の実施の形態に係る放射線検出器ユニット１はそれぞれ、放射線検出器立て３の一の側面にオスコネクタ３０を有すると共に、一の側面の反対側の側面にメスコネクタ３２を有しているので、複数の放射線検出器ユニット１を連結させると、直線状に連結されることになる。つまり、図１Ｄでは、Ｘ方向に複数の放射線検出器ユニット１が連結される。なお、互いに連結した複数の放射線検出器ユニット１のうち、端部の放射線検出器ユニット１のオスコネクタ３０及び／又はメスコネクタ３２は、外部の電気回路に電気的に接続することができる。
【００３４】
（ヒートシンク４の概要）
図２Ａは、本発明の第１の実施の形態に係る放射線検出器ユニットが設置されるヒートシンクの概要を示す。
【００３５】
ヒートシンク４は、複数の放射線検出器ユニット１が搭載される平板部４０と、複数の放射線検出器ユニット１が搭載される平板部４０の面の反対側に設けられる放熱用の複数のフィン４２と、平板部４０の一辺近傍に設けられ、放射線検出器ユニット１の放射線検出器立て３の側面の一部が接することにより放射線検出器ユニット１のヒートシンク４に対する位置を決定する位置決め部４４とを有する。位置決め部４４は、例えば、平板部４０の一辺からフィン４２が延びる方向とは反対方向に突き出た形状を有することにより、平板部４０の一辺に段差として設けられる。
【００３６】
また、位置決め部４４の側面（すなわち、位置決め部４４の放射線検出器ユニット１が接する面の反対側の面）に、放射線検出器ユニット１のオスコネクタ３０又はメスコネクタ３２に嵌め合わされる放射線検出器ユニット用コネクタ５０と、放射線検出器ユニット用コネクタ５０に接続される集積回路５２と、集積回路５２に接続される外部接続コネクタ５４とを有するデータ収集基板５が設けられる。データ収集基板５は、一方の面及び／又は他方の面に集積回路５２を有する。そして、データ収集基板５は、ヒートシンク４の平板部４０に略水平に設けられる。なお、金属材料を用いてヒートシンク４を形成する場合、ヒートシンク４は削り出しにより作製できる。これにより、高い寸法精度でヒートシンク４の形態を規定できる。
【００３７】
図２Ｂは、本発明の第１の実施の形態に係る放射線検出器ユニットがヒートシンク上に搭載された状態の断面の概要を示す。
【００３８】
複数の放射線検出器ユニット１は、平板部４０上に搭載される。複数の放射線検出器ユニット１はそれぞれ、ネジ４６によりヒートシンク４に固定される。すなわち、ヒートシンク４の複数のネジ穴４８のそれぞれと、複数の放射線検出器ユニット１それぞれのネジ穴３８とをネジ４６により固定することにより、複数の放射線検出器ユニット１は、ヒートシンク４に固定される。ここで、放射線検出器立て３の放射線検出部２が設けられている側の反対側の面（つまり、放射線検出器立て３の下面）は略平坦な面であるので、当該面と平板部４０とは面接触することになる。
【００３９】
この場合において、例えば、図１Ｄに示すように直線状に互いに連結された複数の放射線検出器ユニット１のうちの一の放射線検出器ユニット１の端部をヒートシンク４の位置決め部４４に接触させる。そして、放射線検出器ユニット１の端部を位置決め部４４に接触させた状態で、複数の放射線検出器ユニット１とヒートシンク４とをネジ４６で固定する。更に、当該一の放射線検出器ユニット１のオスコネクタ３０と放射線検出器ユニット用コネクタ５０とが接続される。これにより、複数の放射線検出器ユニット１と集積回路５２との間で信号のやり取りが可能になる。
【００４０】
より具体的には、以下の各工程を経て複数の放射線検出器ユニット１をヒートシンク４に固定する。
【００４１】
まず、複数の放射線検出器ユニット１を一列に連結することにより複数の放射線検出器ユニット１の列（以下、「ユニット列」という）を組み立てる。複数の放射線検出器ユニット１を連結する場合に、連結が外れることを防止すべく、各放射線検出器ユニット１間をネジ又はクリップ等を用いて固定することもできる。ここで、一の放射線検出器ユニット１の放射線検出器立て３と他の放射線検出器ユニット１の放射線検出器立て３とを保持してユニット列を組み立てることができるので、放射線検出部２の部分に触れることを要さず、放射線検出部２に力が加わることがない。したがって、放射線検出部２の放射線検出器カード２０同士が互いに接触することが抑制されるので、半導体素子２００に損傷が生じることを抑制できる。
【００４２】
次に、一のユニット列をヒートシンク４上に設置する。そして、一のユニット列に含まれる複数の放射線検出器ユニット１のそれぞれとヒートシンク４とをネジ４６で固定する。ここで、放射線検出器ユニット１の底面と平板部４０との間にシリコングリース等を塗布することもできる。なお、放射線検出器ユニット１のヒートシンク４に対する位置は、上述のように位置決め部４４により予め定められた位置に配置されることになる。つまり、本実施の形態においては、ネジ穴４８の直径をネジ４６の直径より大きくする。これにより、平板部４０の水平方向における放射線検出器ユニット１の位置決めは、位置決め部４４の精度に主として依存することになる。続いて、他のユニット列を同様にヒートシンク４上に設置、固定する。
【００４３】
ヒートシンク４上に設置すべきユニット列のすべてを設置した後、各ユニット列の端部の放射線検出器ユニット１がそれぞれ備えるデータ収集基板５側のオスコネクタ３０を、データ収集基板５に実装されている複数の放射線検出器ユニット用コネクタ５０のそれぞれに差し込む。これにより、複数の放射線検出器ユニット１がヒートシンク４上に設置される。
【００４４】
図３は、本発明の第１の実施の形態に係る複数の放射線検出器ユニットが連結された状態における放射線検出装置の断面の概要を示す。
【００４５】
まず、複数の放射線検出器カード２０は、放射線検出器立て３を構成するマザーボード２５上に搭載される。上面視にて略矩形状のマザーボード２５は、一辺近傍と当該一辺の対辺近傍とにそれぞれ支持体３６０を有する。そして、支持体３６０の間に複数の放射線検出器カード２０が支持される。また、マザーボード２５は、複数の放射線検出器カード２０を搭載する面の反対側の面に、複数の放射線検出器カード２０のそれぞれから供給される信号を処理するＡＳＩＣ３００とＦＰＧＡ３０２とを含む信号処理部３０４を有する。信号処理部３０４とオスコネクタ３０及びメスコネクタ３２は、ユニット内配線（図示しない）により互いに接続される。
【００４６】
図３を参照すると、一の放射線検出器ユニット１のオスコネクタ３０と他の放射線検出器ユニット１のメスコネクタ３２とが接続される。これにより、一の放射線検出器ユニット１と他の放射線検出器ユニット１との間で信号のやり取りができる。また、他の放射線検出器ユニット１のオスコネクタ３０とデータ収集基板５の放射線検出器ユニット用コネクタ５０とが接続される。これにより、すべての放射線検出器ユニット１からの信号が、データ収集基板５に収集される。
【００４７】
図４は、本発明の第１の実施の形態に係る放射線検出器ユニットのユニット内配線のブロック図の概要を示す。具体的に、図４（ａ）は、バス型の信号ラインのモジュール内配線を有する放射線検出器ユニットのブロック図の一例を示し、図４（ｂ）は、信号中継方式のモジュール内配線を有する放射線検出器ユニットのブロック図の一例を示す。
【００４８】
信号処理部３０４は、放射線検出部２ａからの信号に信号処理を施す。そして、信号処理が施された信号は、信号処理部３０４に接続されているユニット内配線としての信号ライン３４０を介して他の放射線検出器ユニット１及び／又はデータ収集基板５に供給される。したがって、放射線検出部２ａに含まれる複数の放射線検出器カード２０のそれぞれと信号処理部３０４とは電気的に接続される。また、ユニット内配線としての電源・グランドライン３５０と信号処理部３０４とが接続されている。したがって、放射線検出部２ａに含まれる複数の放射線検出器カード２０のそれぞれと電源・グランドライン３５０とは電気的に接続される。
【００４９】
本実施の形態では、信号処理部３０４が、図４（ａ）に示すバス型の信号ラインで複数の放射線検出器ユニット１間において信号を中継することができる。バス型の信号ラインを採用する場合、隣接する放射線検出器ユニット１間でバスが共有される。また、図４（ｂ）に示すように、信号処理部３０４は、信号中継方式で複数の放射線検出器ユニット１間において信号を中継することもできる。
【００５０】
（第１の実施の形態の効果）
第１の実施の形態に係る放射線検出器ユニット１は、放射線検出器立て３の側面に他の放射線検出器ユニット１に接続され、放射線検出器ユニット１間を電気的に接続するコネクタ部と、コネクタ部を挟む位置に設けられ、放射線検出器ユニット１間の位置を決定する位置決めピン３４とを備える。これにより、複数の放射線検出器ユニット１（特に、放射線検出部２）に無理な力を加えることなく複数の放射線検出器ユニット１の端部を位置決め部４４に接触させることでヒートシンク４上に複数の放射線検出器ユニット１を高い位置精度で容易に配置することができる。すなわち、放射線検出器ユニット１のオスコネクタ３０又はメスコネクタ３２と放射線検出器ユニット用コネクタ５０とを嵌め合わせる場合には、放射線検出器ユニット１をある程度、ヒートシンク４側に向けて押し下げることを要する。この場合に、第１の実施の形態においては複数の放射線検出器ユニット１を直線状に連結させた状態でヒートシンク４上に搭載するので、放射線検出部２に触れずに放射線検出器ユニット１をヒートシンク４側に押し下げ、ヒートシンク４に固定させることが容易になる。
【００５１】
また、放射線検出器ユニット１は、コネクタ部と位置決めピン３４とを備えるので、データ収集基板５の放射線検出器ユニット用コネクタ５０の位置精度に影響されずに複数の放射線検出器ユニット１それぞれの位置を精度良く決定することができる。
【００５２】
また、放射線検出装置が、複数の放射線検出器ユニット１を搭載するヒートシンク４の側面に、複数の放射線検出器ユニット１からの信号を受け取るデータ収集基板５を備えるので、複数の放射線検出器ユニット１のそれぞれからの信号を収集する配線基板を複数の放射線検出器ユニット１の直下に設けることを要さない。これにより、複数の放射線検出器ユニット１の数に応じた大きさの配線基板を作成することを要さない。
【００５３】
また、放射線検出器ユニットの直下に複数の放射線検出器ユニットの信号を収集する配線基板を設ける従来技術の場合、放射線検出器ユニットとヒートシンクとの間に配線基板が介在する。このため、放射線検出器ユニットにおいて発生した熱をヒートシンクから放熱させる放熱特性が、伝熱経路に配線基板が存在する分だけ劣化する。これに対し、放射線検出器ユニット１は、放射線検出器ユニット１の直下に配線基板を備えていないので、放射線検出器ユニット１からヒートシンクまでの伝熱経路が短くなり、放熱特性を向上させることができる。
【００５４】
また、放射線検出器ユニット１は、下面、すなわち、放射線検出器立て３の放射線検出部２の反対側の面の全体を放熱用に用いることができるので、放射線検出装置の放熱効率を向上させることができる。そして、放射線検出器ユニット１同士が確実に接続されるので、放射線検出部２へのノイズの侵入を抑制することができる。
【００５５】
［第２の実施の形態］
図５は、本発明の第２の実施の形態に係る放射線検出装置の側面の一部の概要を示す。
【００５６】
第２の実施の形態に係る放射線検出器モジュール１は、第１の実施の形態に係る放射線検出器モジュール１と同一であり、相違点は、データ収集基板５のヒートシンク４に対する接続方向である。したがって、相違点を除き詳細な説明は省略する。
【００５７】
第２の実施の形態においてデータ収集基板５は、平板部４０に略垂直に設けられる。なお、ヒートシンク４は、データ収集基板５の代わりに放射線検出器ユニット用コネクタ５０と、放射線検出器ユニット用コネクタ５０に接続される信号線とを有し、ヒートシンク４から離れた位置に当該信号線に接続される集積回路５２を設けることもできる。
【００５８】
［第３の実施の形態］
図６は、本発明の第３の実施の形態に係る放射線検出器モジュールの斜視図の一例を示す。
【００５９】
第３の実施の形態に係る放射線検出器モジュール１ａは、第１の実施の形態に係る放射線検出器モジュール１とは、オスコネクタ３０及びメスコネクタ３２の配置が異なる点を除き、放射線検出器モジュール１と略同一の構成及び機能を備える。したがって、相違点を除き詳細な説明は省略する。なお、第３の実施の形態に係る放射線検出器モジュール１ａは、第１〜第２の実施の形態に係る放射線検出器モジュールの一部又は全部の構成及び機能を備えることもできる。
【００６０】
放射線検出器モジュール１ａは、放射線検出器立て３の一の側面と、当該一の側面に隣接する一方の側面とのそれぞれにオスコネクタ３０及び位置決めピン３４が設けられる。そして、オスコネクタ３０及び位置決めピン３４が設けられている側面の反対側の側面にはメスコネクタ３２及び孔３６が設けられる（図示しない）。すなわち、放射線検出器モジュール１ａが備える放射線検出器立て３の４つの側面のいずれにおいても、当該放射線検出器モジュール１ａを他の放射線検出器モジュール１ａに接続させることができる。したがって、第３の実施の形態に係る放射線検出器モジュール１ａは、Ｘ方向とＹ方向との４方向において他の放射線検出器モジュール１ａに接続することができる。これにより、放射線検出器モジュール１ａの位置決め、及び各放射線検出器モジュール１ａ間の配線が更に容易になる。
【００６１】
［第４の実施の形態］
図７は、本発明の第４の実施の形態に係る放射線検出器モジュールの側面図の一例を示す。
【００６２】
第４の実施の形態に係る放射線検出器モジュール１ｂは、第１の実施の形態に係る放射線検出器モジュール１とは、放射線検出器立て３ａの構成が異なる点を除き、放射線検出器モジュール１と略同一の構成及び機能を備える。したがって、相違点を除き詳細な説明は省略する。なお、第４の実施の形態に係る放射線検出器モジュール１ｂは、第１〜第３の実施の形態に係る放射線検出器モジュールの一部又は全部の構成及び機能を備えることもできる。
【００６３】
放射線検出器モジュール１ｂが備える放射線検出器立て３ａは、放熱用の複数のフィン３１０を表面に有する。具体的に、放射線検出器立て３ａは、放射線検出部２の反対側の面に複数のフィン３１０を有する。放射線検出器立て３ａの表面に予め複数のフィン３１０を形成することにより、放射線検出器立て３ａとは別にヒートシンク及び／又は放熱フィンを設けることを要さない。この場合、複数の放射線検出器モジュール１ｂが連なることにより放射線検出装置を構成することになる。
【００６４】
［第５の実施の形態］
図８の（ａ）は、本発明の第５の実施の形態に係る放射線検出器モジュールの側面図の一例を示し、（ｂ）は、放熱ブロックを備える第５の実施の形態に係る放射線検出器モジュールの側面図の一例を示す。
【００６５】
第５の実施の形態に係る放射線検出器モジュール１は、第１の実施の形態に係る放射線検出器モジュール１とは、放射線検出器立て３の表面に放射線吸収層６が設けられている点を除き、放射線検出器モジュール１と略同一の構成及び機能を備える。したがって、相違点を除き詳細な説明は省略する。なお、第５の実施の形態に係る放射線検出器モジュール１は、第１〜第４の実施の形態に係る放射線検出器モジュールの一部又は全部の構成及び機能を備えることもできる。
【００６６】
まず、図８の（ａ）に示すように、放射線検出器モジュール１は、放射線検出器立て３の表面に放射線吸収層６を更に備える。具体的に、放射線吸収層６は、放射線検出器立て３の放射線検出部２が設けられる側の反対側の表面（つまり、放射線検出器立て３の下面）の略全面に設けられる。放射線吸収層６は、例えば、数ｍｍ程度の厚さを有する鉛又はタングステンを用いて形成される。放射線吸収層６は、外部から放射線検出器モジュール１に向けて入射する放射線を吸収する。すなわち、放射線検出部２が設けられている側の反対側に放射線吸収層６を設けることにより、検出すべきではない放射線が放射線検出部２に入射することが抑制される。第５の実施の形態では複数の放射線検出器モジュール１及び放熱用のフィン等を備える放射線検出装置の外側に放射線吸収層６を設けることを要さないので、放射線検出装置全体の大きさ及び重量を低減できる。
【００６７】
また、図８の（ｂ）に示すように、放射線吸収層６の放射線検出器立て３の反対側に放熱ブロック３１５を設けることができる。これにより、放射線吸収層６を放熱ブロック３１５の外側等に設置することを要さないので、不要な放射線が放射線検出部２に入射することを単純な構成で抑制できる。
【００６８】
［第６の実施の形態］
図９の（ａ）は、本発明の第６の実施の形態に係る放射線検出器モジュールの部分的な斜視図の一例を示し、図９の（ｂ）は、本発明の第６の実施の形態に係る放射線検出器モジュール同士の接続の概要を示す。
【００６９】
第６の実施の形態に係る放射線検出器モジュール１ｃは、第１の実施の形態に係る放射線検出器モジュール１とは、放射線検出器立て３に冷媒用パイプ３１が更に設けられている点を除き、放射線検出器モジュール１と略同一の構成及び機能を備える。したがって、相違点を除き詳細な説明は省略する。なお、第６の実施の形態に係る放射線検出器モジュール１ｃは、第１〜第５の実施の形態に係る放射線検出器モジュールの一部又は全部の構成及び機能を備えることもできる。
【００７０】
放射線検出器モジュール１ｃが備える放射線検出器立て３は、オスコネクタ３０及び位置決めピン３４が設けられている側面から当該側面の反対側の側面まで貫通する冷媒用パイプ３１と、オスコネクタ３０が設けられている側面の反対側の側面に設けられ、他の放射線検出器モジュール１ｃの冷媒用パイプ３１が差し込まれる差し込み口３５とを更に有する。また、冷媒用パイプ３１は、オスコネクタ３０が設けられている側面から外部に向かって突き出る形状を有しており、冷媒用パイプ３１の外周には、差し込み口３５に差し込まれた場合に冷媒用パイプ３１の内部と外部とを隔離するＯリング等のパッキン３３が設けられる。
【００７１】
具体的に冷媒用パイプ３１は、オスコネクタ３０を有する側面とメスコネクタ３２を有する側面とを貫通して設けられる。また、放射線検出器立て３は、複数本の冷媒用パイプ３１を有することができる。より具体的に、放射線検出器立て３は、複数の位置決めピン３４の放射線検出部２の反対側に距離をおいて複数の冷媒用パイプ３１を有する。例えば、各位置決めピン３４を基点として放射線検出部２から離れる方向に距離をおいて複数の冷媒用パイプ３１が設けられる。冷媒用パイプ３１に冷却水等の冷媒を流すことにより、放射線検出器モジュール１ｃを効果的に冷却できる。
【００７２】
また、オスコネクタ３０が設けられれている側面から外部に突き出る冷媒用パイプ３１と、メスコネクタ３２が設けられている側面に設けられる差し込み口３５とで複数の放射線検出器モジュール１間の位置決めをすることもできる。この場合、位置決めピン３４及び孔３６を省略することができる。
【００７３】
［第７の実施の形態］
図１０の（ａ）は、本発明の第７の実施の形態に係る放射線検出器モジュールの部分的な斜視図の一例を示し、図１０の（ｂ）は、本発明の第７の実施の形態に係る放射線検出器モジュール同士の接続の概要を示す。
【００７４】
第７の実施の形態に係る放射線検出器モジュール１ｄは、第１の実施の形態に係る放射線検出器モジュール１とは、放射線検出器立て３に空冷用の流路３７が更に設けられている点を除き、放射線検出器モジュール１と略同一の構成及び機能を備える。したがって、相違点を除き詳細な説明は省略する。なお、第７の実施の形態に係る放射線検出器モジュール１ｄは、第１〜第６の実施の形態に係る放射線検出器モジュールの一部又は全部の構成及び機能を備えることもできる。
【００７５】
放射線検出器モジュール１ｄが備える放射線検出器立て３は、オスコネクタ３０及び位置決めピン３４が設けられている側面から当該側面の反対側の側面まで貫通する流路３７を更に有する。放射線検出器モジュール１ｄは、複数の流路３７を有することができる。また、流路３７は、一例として、断面が略矩形の形状を有する。そして、流路３７は、例えば、オスコネクタ３０が設けられている側面の放射線検出部２の反対側、すなわち、オスコネクタ３０の下方に設けられる。
【００７６】
複数の放射線検出器モジュール１ｄを互いに連結させると、複数の放射線検出器モジュール１ｄそれぞれの流路３７が連結される。そして、連結させた複数の流路３７の端部にファン７を設ける。ファン７を作動させることにより複数の流路３７内に流体（例えば、空気）の流れが生じる。これにより、複数の放射線検出器モジュール１ｄはそれぞれ、流路３７を流れる流体により冷却される。なお、一の放射線検出器モジュール１ｄと他の放射線検出器モジュール１ｄとを連結させた場合に、一の放射線検出器モジュール１ｄの流路３７と他の放射線検出器モジュール１ｄの流路３７との間に、流路３７の機密を保つことを目的として、流路３７の出口の外周を囲むガスケットを設けることもできる。
【００７７】
［第８の実施の形態］
図１１は、本発明の第８の実施の形態に係る放射線検出器モジュールの部分的な斜視図の一例を示す。
【００７８】
第８の実施の形態に係る放射線検出器モジュール１ｅは、第１の実施の形態に係る放射線検出器モジュール１とは、位置決めピンの構成が異なる点を除き、放射線検出器モジュール１と略同一の構成及び機能を備える。したがって、相違点を除き詳細な説明は省略する。なお、第８の実施の形態に係る放射線検出器モジュール１ｅは、第１〜第７の実施の形態に係る放射線検出器モジュールの一部又は全部の構成及び機能を備えることもできる。
【００７９】
放射線検出器モジュール１ｅが備える放射線検出器立て３は、オスコネクタ３０が設けられる側面にヒートパイプ３９が設けられる。例えばヒートパイプ３９は、オスコネクタ３０を挟む位置に設けられる。ヒートパイプ３９は、第１の実施の形態に係る位置決めピン３４の機能を兼ね備えることもできる。また、ヒートパイプ３９は、熱伝導率が良好な金属材料、例えば、銅を用いて形成できる。第８の実施の形態に係る放射線検出器モジュール１ｅにおいては、ヒートパイプ３９を介して放射線検出器モジュール１ｅから発する熱が外部に放熱されるので、ヒートシンク４を用いなくてもよい。
【００８０】
［第９の実施の形態］
図１２の（ａ）は、本発明の第９の実施の形態に係る放射線検出器モジュールの部分的な斜視図の一例を示し、（ｂ）は、本発明の第９の実施の形態に係る放射線検出器モジュール同士の接続部分の概要を示す。
【００８１】
第９の実施の形態に係る放射線検出器モジュール１ｆは、第１の実施の形態に係る放射線検出器モジュール１とは、ガスケット８を更に備える点を除き、放射線検出器モジュール１と略同一の構成及び機能を備える。したがって、相違点を除き詳細な説明は省略する。なお、第９の実施の形態に係る放射線検出器モジュール１ｆは、第１〜第８の実施の形態に係る放射線検出器モジュールの一部又は全部の構成及び機能を備えることもできる。
【００８２】
放射線検出器モジュール１ｆは、４つの側面のそれぞれにガスケット８を備える。具体的には、放射線検出部２とオスコネクタ３０及びメスコネクタ３２との間であって、放射線検出器立て３の側面のそれぞれにガスケット８が設けられる。ガスケット８は、例えば、外部から力が加わると圧縮される内側部材と、内側部材を被覆する導電性の外層とを有して構成される。一の放射線検出器モジュール１ｆと他の放射線検出器モジュール１ｆとが接続されると、一の放射線検出器モジュール１ｆのガスケット８と他の放射線検出器モジュール１ｆのガスケット８とが接触する。これにより、オスコネクタ３０及びメスコネクタ３２からの電磁波１１０が放射線検出部２に到達することが防止される。
【００８３】
［第１０の実施の形態］
図１３の（ａ）は、本発明の第１０の実施の形態に係る放射線検出器モジュールの部分的な斜視図の一例を示し、（ｂ）は、本発明の第１０の実施の形態に係る複数の放射線検出器モジュールが連結した状態の概要を示す。
【００８４】
第１０の実施の形態に係る放射線検出器モジュール１ｇは、第１の実施の形態に係る放射線検出器モジュール１とは、複数の放射線検出器モジュール１ｇがボルト３３２及びナット３３４により固定される点を除き、放射線検出器モジュール１と略同一の構成及び機能を備える。したがって、相違点を除き詳細な説明は省略する。なお、第１０の実施の形態に係る放射線検出器モジュール１ｇは、第１〜第９の実施の形態に係る放射線検出器モジュールの一部又は全部の構成及び機能を備えることもできる。
【００８５】
放射線検出器モジュール１ｇが備える放射線検出器立て３は、オスコネクタ３０が設けられている側面から当該側面の反対側の側面、すなわち、メスコネクタ３２が設けられている側面まで貫通する貫通孔３３０を有する。貫通孔３３０は、例えば、放射線検出器モジュール１において位置決めピン３４が設けられていた位置に対応する位置に設けることができる。すなわち、第１０の実施の形態においては、位置決めピン３４及び孔３６を省略できる。そして、複数の放射線検出器モジュール１ｇを連結させる場合に、各放射線検出器モジュール１ｇの貫通孔３３０にボルト３３２を通し、ナット３３４で固定する。これにより、複数の放射線検出器モジュール１ｇのそれぞれが強固に固定される。
【００８６】
［第１１の実施の形態］
図１４は、本発明の第１１の実施の形態に係る放射線検出器モジュールの側面の概要を示す。
【００８７】
第１１の実施の形態に係る放射線検出器モジュール１ｈは、第１の実施の形態に係る放射線検出器モジュール１とは、放射線検出器立ての構造が異なる点を除き、放射線検出器モジュール１と略同一の構成及び機能を備える。したがって、相違点を除き詳細な説明は省略する。なお、第１１の実施の形態に係る放射線検出器モジュール１ｈは、第１〜第１０の実施の形態に係る放射線検出器モジュールの一部又は全部の構成及び機能を備えることもできる。
【００８８】
放射線検出器モジュール１ｈが備える放射線検出器立て３ｂは、放熱用の複数のフィン３１０と、複数のフィン３１０に流体を送るファン７とを有する。具体的に、放射線検出器立て３ｂは、放射線検出部２の反対側の面（すなわち、放射線検出器立て３ｂの下面）に複数のフィン３１０を有すると共に、複数のフィン３１０の先方にファン７を有する。放射線検出器立て３ｂの表面に予め複数のフィン３１０を形成すると共に複数のフィン３１０に外部から空気等の流体をファン７で送ることにより、放射線検出器モジュール１ｈは強制的に冷却される。これにより、放射線検出器立て３ｂとは別にヒートシンク及び／又は放熱フィンを設けることを要さない。
【００８９】
［第１２の実施の形態］
図１５は、本発明の第１２の実施の形態に係る放射線検出器モジュールの側面の概要を示す。
【００９０】
第１２の実施の形態に係る放射線検出器モジュール１ｉは、第１の実施の形態に係る放射線検出器モジュール１とは、放射線検出器立て３の下部の構造が異なる点を除き、放射線検出器モジュール１と略同一の構成及び機能を備える。したがって、相違点を除き詳細な説明は省略する。なお、第１２の実施の形態に係る放射線検出器モジュール１ｉは、第１〜第１１の実施の形態に係る放射線検出器モジュールの一部又は全部の構成及び機能を備えることもできる。
【００９１】
放射線検出器モジュール１ｉは、放射線検出器立て３の放射線検出部２が設けられている側の反対側に放熱ブロック３１５を備えると共に、放射線検出器立て３と放熱ブロック３１５との間にペルチェ素子９を備える。また、放熱ブロック３１５の先方には放熱ブロック３１５に空気等の流体を送るファン７が更に設けられる。放射線検出器立て３の下面に設けられるペルチェ素子９により、放射線検出器モジュール１ｉが冷却される。
【００９２】
ここで、ペルチェ素子９の温度は、放射線検出器モジュール１ｉの温度に応じ、独立に制御することができる。例えば、放射線検出器モジュール１ｉ内に放射線検出器モジュール１ｉ内の温度を測定する温度測定部と、温度測定部からの信号に応じてペルチェ素子９の温度を制御する温度制御部とを更に設ける。そして、温度測定部が測定した温度を示す情報と予め設定された基準の温度（以下、「基準温度」という）との差に応じ、温度制御部はペルチェ素子９の温度を制御する。また、温度制御部は、温度測定部からの信号に応じ、放射線検出器モジュール１ｉの内部の温度が基準温度に近づくように、ペルチェ素子９の温度とファン７の回転数との双方を制御することもできる。
【００９３】
なお、温度制御部は放射線検出器モジュール１ｉの外部に設けることもでき、この場合、ペルチェ素子９の温度は、放射線検出器モジュール１ｉの外部に設けた温度制御部により制御される。
【００９４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００９５】
１、１ａ、１ｂ、１ｃ、１ｄ  放射線検出器ユニット
１ｅ、１ｆ、１ｇ、１ｈ、１ｉ  放射線検出器ユニット
２、２ａ  放射線検出部
３、３ａ、３ｂ  放射線検出器立て
４  ヒートシンク
５  データ収集基板
６  放射線吸収層
７  ファン
８  ガスケット
９  ペルチェ素子
２０  放射線検出器カード
２５  マザーボード
３０  オスコネクタ
３１  冷媒用パイプ
３２  メスコネクタ
３３  パッキン
３４  位置決めピン
３５  差し込み口
３６  孔
３７  流路
３８  ネジ穴
３９  ヒートパイプ
４０  平板部
４２  フィン
４４  位置決め部
４６  ネジ
４８  ネジ穴
５０  放射線検出器ユニット用コネクタ
５２  集積回路
５４  外部接続コネクタ
１００  放射線
１１０  電磁波
２００  半導体素子
２１０  基板
２２０、２２５  カードホルダ
２３０  突起部
２３２  溝付穴
２３４  弾性部材
２３６  基板端子
２３８  端子用穴
２４０  フレキシブル基板
３００  ＡＳＩＣ
３０２  ＦＰＧＡ
３０４  信号処理部
３１０  フィン
３１５  放熱ブロック
３２０  冷媒流通路
３３０  貫通孔
３３２  ボルト
３３４  ナット
３４０  信号ライン
３５０  電源・グランドライン
３６０  支持体
【図１Ａ】
2012047550.tif 000003
【図１Ｂ】
2012047550.tif 000004
【図１Ｃ】
2012047550.tif 000005
【図１Ｄ】
2012047550.tif 000006
【図２Ａ】
2012047550.tif 000007
【図２Ｂ】
2012047550.tif 000008
【図３】
2012047550.tif 000009
【図４】
2012047550.tif 000010
【図５】
2012047550.tif 000011
【図６】
2012047550.tif 000012
【図７】
2012047550.tif 000013
【図８】
2012047550.tif 000014
【図９】
2012047550.tif 000015
【図１０】
2012047550.tif 000016
【図１１】
2012047550.tif 000017
【図１２】
2012047550.tif 000018
【図１３】
2012047550.tif 000019
【図１４】
2012047550.tif 000020
【図１５】
2012047550.tif 000021